(57)【要約】【課題】警報器の使用経過時間に関する情報をユーザに簡便に把握させることのできる警報器を得る。【解決手段】火災検出部５と、電源投入時からの使用経過時間を計測する使用経過時間計測タイマ１２ａと、音声出力手段（音声出力制御回路１４、スピーカ１９）と、点検手段（電源監視回路２、マイコン１０）と、点検手段による点検結果の音声出力を指示する点検スイッチ８と、制御手段としてのマイコン１０を備えた警報器であって、マイコン１０は、点検スイッチ８が操作されると、使用経過時間計測タイマ１２ａが計測した使用経過時間に関する情報を、音声出力手段に音声出力させる。【選択図】図２
2010224844.tif 000002
【特許請求の範囲】
【請求項１】
監視領域の異常を検出する異常検出手段と、
警報器の電源投入時からの使用経過時間を計測する計時手段と、
音声出力手段と、
警報器の点検を行う点検手段と、
前記点検手段による点検結果の音声出力を指示する点検結果出力スイッチと、
前記異常検出手段が異常を検出したときに前記音声出力手段に異常音声を出力させ、また、前記点検結果出力スイッチが操作されたときに前記音声出力手段に前記点検手段による点検結果を音声出力させる制御手段とを備えた警報器において、
前記制御手段は、前記点検結果出力スイッチが操作されると、前記計時手段が計測した使用経過時間に関する情報を、前記音声出力手段に音声出力させることを特徴とする警報器。
【請求項２】
前記制御手段は、前記点検結果出力スイッチが通常操作されると、前記点検手段による点検結果を前記音声出力手段に音声出力させ、また、前記点検結果出力スイッチが特殊操作されると、前記使用経過時間に関する情報を前記音声出力手段に音声出力させることを特徴とする請求項１記載の警報器。
【請求項３】
前記制御手段は、前記使用経過時間に応じた音量及び／又は回数で、前記使用経過時間に関する情報を前記音声出力手段に音声出力させることを特徴とする請求項１又は請求項２記載の警報器。
【請求項４】
警報器の電源投入回数をカウントするカウンタと、
前記カウンタがカウントした電源投入回数とともに、前記使用経過時間に関する情報を格納する記憶部を備えたことを特徴とする請求項１〜請求項３のいずれか記載の警報器。
【発明の詳細な説明】
【技術分野】
【０００１】
本発明は、警報器に関する。
【背景技術】
【０００２】
従来から、警報器の一例として、例えば火災などの監視領域の異常を検出して警報音を鳴動する火災警報器が利用されている。このような火災警報器では、火災警報音として、従来はブザー音が用いられていたが、居住者が警報内容を理解しやすいように、近年は音声を利用する傾向が高まっている（例えば、特許文献１参照）。
【先行技術文献】
【特許文献】
【０００３】
【特許文献１】実開平０５−０９２８９２号公報（第７頁、図３）
【発明の概要】
【発明が解決しようとする課題】
【０００４】
ところで、警報器の使用期限は、電池寿命などの観点から一般的に１０年に設定されている。そして近年、ユーザーに警報器の交換時期を通知するために、電源投入時からの使用経過時間を計測して使用期限満了時間となったときに、使用期限が満了したことを音声出力するものが製品化されている。
【０００５】
しかし、ユーザーとしては、あとどれくらいで交換時期となるのかを前もって知りたいという要望がある。ここで一般的に、警報器の筐体の裏面に貼り付けられた機器銘板には、警報器の設置年月日が印字されている。このため、ユーザーは、前もって警報器の交換時期を確認するために機器銘板を確認することができるが、機器銘板を確認するためには警報器を天井などの設置面から取り外して筐体の裏面を確認する必要があり、確認が困難であった。
【０００６】
本発明は上記のような課題を解決するためになされたものであり、警報器の使用経過時間に関する情報をユーザーに簡便に把握させることのできる警報器を提供するものである。
【課題を解決するための手段】
【０００７】
本発明に係る警報器は、監視領域の異常を検出する異常検出手段と、警報器の電源投入時からの使用経過時間を計測する計時手段と、音声出力手段と、警報器の点検を行う点検手段と、点検手段による点検結果の音声出力を指示する点検結果出力スイッチと、異常検出手段が異常を検出したときに音声出力手段に異常音声を出力させ、また、点検結果出力スイッチが操作されたときに音声出力手段に点検手段による点検結果を音声出力させる制御手段とを備えた警報器において、制御手段は、点検結果出力スイッチが操作されると、計時手段が計測した使用経過時間に関する情報を、音声出力手段に音声出力させるものである。
【０００８】
また、制御手段は、点検結果出力スイッチが通常操作されると、点検手段による点検結果を音声出力手段に音声出力させ、また、点検結果出力スイッチが特殊操作されると、使用経過時間に関する情報を音声出力手段に音声出力させるものである。
【０００９】
また、制御手段は、使用経過時間に応じた音量及び／又は回数で、使用経過時間に関する情報を音声出力手段に音声出力させるものである。
【００１０】
また、この警報器は、警報器の電源投入回数をカウントするカウンタと、カウンタがカウントした電源投入回数とともに、使用経過時間に関する情報を格納する記憶部を備えたものである。
【発明の効果】
【００１１】
本発明においては、点検結果出力スイッチが操作されたときに、使用経過時間に関する情報を音声出力手段に音声出力させるようにした。このため、ユーザーは自身が要求したタイミングで、容易に使用経過時間に関する情報を得ることができる。
【００１２】
また、点検結果出力スイッチが通常操作されたか特殊操作されたかによって、点検結果または使用経過時間に関する情報のいずれかを区別して音声出力する。このため、ユーザーが要求する情報のみを音声出力することができ、無駄な音声出力を省いて消費電流を低減できる。
【００１３】
また、使用経過時間に応じた音量及び／又は回数で、使用経過時間に関する情報を音声出力させる。このため、例えば使用期限が近づいている場合には大きな音量で音声出力するなどすれば、ユーザーは警報器の交換時期が迫っていることを容易に把握することができる。
【００１４】
また、電源投入回数とともに使用経過時間を格納する記憶部を備えた。このため、市場からの返却品の電源投入回数とそのときの使用経過時間に関する情報を入手でき、警報器の状態の解析に利用することができる。
【図面の簡単な説明】
【００１５】
【図１】本発明の実施の形態に係る火災警報器の内部回路を示す回路構成図である。
【図２】実施の形態に係る火災警報器のメイン動作を示すフローチャートである。
【図３】実施の形態に係る火災警報器の使用経過時間監視動作を示すフローチャートである。
【図４】実施の形態に係る火災警報器の火災監視動作を示すフローチャートである。
【図５】実施の形態に係る火災警報器の電池電圧低下監視動作を示すフローチャートである。
【図６】実施の形態に係る火災警報器のスイッチ入力判定動作を示すフローチャートである。
【図７】実施の形態に係る火災警報器の監視結果出力動作を示すフローチャートである。
【発明を実施するための形態】
【００１６】
実施の形態．
警報器には、火災警報器やガス漏れ警報器など、様々なものが存在する。また、火災警報器にも、発光素子及び受光素子によって煙を検出する火災警報器、感熱素子によって熱を検出する火災警報器、及び焦電素子により炎を検出する火災警報器等、様々な火災警報器が存在する。本実施の形態では、感熱素子であるサーミスタによって熱を検出する火災警報器に本発明を適用した場合を例に説明する。
【００１７】
図１は、本実施の形態に係る火災警報器１００の主要な内部回路を示す回路構成図である。火災警報器１００は、電池１、火災検出部５、制御部であるマイクロコンピューター（以下、マイコン１０という）、音声出力制御回路１４とスピーカ１９を有する音声出力手段を主要構成要素とする。なお、マイコン１０は後述するように本発明の点検手段としても機能する。
【００１８】
（マイコン）
マイコン１０は、各種フラグやデータを格納する記憶部１１と、タイマ部１２と、音声データメモリ１３とを備え、図示しないＣＰＵにより火災警報器１００の動作を制御する。
【００１９】
記憶部１１は、例えばＥＥＰＲＯＭなどの書き換え可能な不揮発性メモリで構成される。記憶部１１は、火災が検出されたらセットされる火災フラグ１１ａ、使用期限が満了したらセットされる使用期限満了フラグ１１ｂ、点検結果が異常であればセットされる点検異常フラグ１１ｃ、点検結果の出力指示があればセットされる点検結果出力フラグ１１ｄ、電源投入回数をカウントして記憶する電源投入回数カウンタ１１ｅ、使用経過時間の出力指示があればセットされる使用経過時間出力フラグ１１ｆを備える。
【００２０】
タイマ部１２の使用経過時間計測タイマ１２ａは、タイマ部１２の備える計時装置を利用して、電源投入時からの時間をカウントして、カウントした時間を記憶するものである。
【００２１】
音声データメモリ１３は、スピーカ１９から出力する音声データを格納するメモリであり、ＲＯＭで構成される。音声データメモリ１３には、火災警報器１００が火災を検出した際に出力する火災音声、火災警報器１００の使用期限が満了したことを示す使用期限満了音声、点検結果が正常であったことを示す点検正常音声、点検結果が異常であったことを示す点検異常音声、火災警報器１００の使用経過時間及び使用可能時間を音声出力するための音声の音声データが格納されている。
【００２２】
（電源）
例えばリチウム電池である電池１は、定電圧回路４を介してマイコン１０等に常時電力を供給する電源である。電池１は、定電圧回路４を介することにより、マイコン１０等に安定した電力を供給することができる。
【００２３】
（火災検出部）
火災検出部５は、サーミスタ６及び抵抗７からなる熱式の火災検出部であり、本発明の異常検出手段に相当する。サーミスタ６及び抵抗７は直列に接続され、これらの両端には定電圧回路４を介して電池１から定電圧が印加されている。また、サーミスタ６の先端部は、火災警報器１００の筐体の表面近傍に設けられている。これにより、火災時の熱をサーミスタ６に伝達しやすくしている。
【００２４】
マイコン１０には、サーミスタ６と抵抗７とによって抵抗比分割した電圧が入力されている。サーミスタ６は温度により抵抗値が変化するため、火災時にサーミスタ６が暖められると、サーミスタ６と抵抗７との間の電圧値が変化する。マイコン１０は、このサーミスタ６と抵抗７との間の電圧値が例えば火災レベル以上になると、火災が発生したと判断し、マイコン１０が備えた記憶部１１の火災フラグ１１ａをセットする。
【００２５】
なお、サーミスタ６には、ａ）温度上昇により抵抗値が上昇するタイプ、ｂ）温度上昇により抵抗値が下降するタイプの２タイプがあるが、ここでは、ｂ）タイプのものが使用されている。このｂ）タイプのサーミスタ６の検出電圧値が火災検出用閾値（例えば２Ｖ）以上となれば、火災と判断されるようになっている。
【００２６】
（音声出力手段）
火災警報器１００は、音声出力制御回路１４と、増幅器１８と、スピーカ１９とにより構成される音声出力手段を有する。
【００２７】
音声出力制御回路１４は、異なる音圧レベルの音声をスピーカ１９から出力するための回路であり、回路ブロック１５、１６、１７の３つの回路ブロックで構成される。回路ブロック１５、１６、１７は、それぞれ音声出力制御線２０ａ、２０ｂ、２０ｃに接続されている。回路ブロック１５は、トランジスタ１５ａと、抵抗１５ｂ、１５ｃ、１５ｄで構成される。回路ブロック１６、１７も回路ブロック１５と同様の構成であるが、増幅器１８と直列に接続された抵抗１５ｄ、１６ｄ、１７ｄの抵抗値がこの順番で小さく設定されている点で異なる（抵抗１５ｄが一番大きく、抵抗１７ｄが一番小さい）。この抵抗値の違いによって異なる音圧レベルの音声を出力できるようになっており、マイコン１０は、出力する音声の音圧レベルに応じて音声出力制御線２０ａ、２０ｂ、２０ｃのいずれかをＯＮすることで、スピーカ１９から出力させる音声の音圧レベルを制御する。
【００２８】
具体的には、マイコン１０が音声出力制御線２０ａをＯＮするとトランジスタ１５ａが駆動し、抵抗１５ｄを介して増幅器１８に電流が流れる。同様に、音声出力制御線２０ｂをＯＮした場合には回路ブロック１６を介して増幅器１８に電流を供給し、音声出力制御線２０ｃをＯＮした場合には回路ブロック１７を介して増幅器１８に電流を供給する。増幅器１８は、マイコン１０がデータ出力線２１を介して送信する音声信号を、回路ブロック１５、１６、１７から供給される電流に応じて増幅し、スピーカ１９へ出力する。前述の通り抵抗１５ｄ、１６ｄ、１７ｄの抵抗値が異なるので、回路ブロック１５を駆動させた場合の音圧レベルが一番小さく、回路ブロック１７を駆動させた場合の音圧レベルが一番大きくなる。このようにすることで、スピーカ１９から出力する音声の音圧レベルを制御することができる。
なお、本実施の形態では、回路ブロック１５を駆動して音声出力した場合には６０ｄＢ、回路ブロック１６の場合は７０ｄＢ、回路ブロック１７の場合は８０ｄＢの音声を出力できる。
【００２９】
（点検手段）
火災警報器１００は、内部回路の点検として、電池電圧低下監視を行う。電池電圧低下監視は、電源監視回路２が、電池１の電圧値を検出することにより行う。具体的には、マイコン１０がスイッチ３をＯＮすると、電源監視回路２が駆動され、電源監視回路２が電池１の電圧値を検出する。電源監視回路２は、検出した電圧値をマイコン１０に出力し、マイコン１０は、検出された電圧値が所定の判別レベル以下であれば電池１の電圧が低下しているものとして、記憶部１１の点検異常フラグ１１ｃをセットする。なお、本発明の点検手段は電源監視回路２及びマイコン１０に相当する。
【００３０】
なお、本実施の形態では内部回路の点検として電池電圧低下監視のみを行っているがこれは一例であり、サーミスタ６と抵抗７の間の電圧値を監視することによりサーミスタ６の断線（劣化）の点検を行ってもよい。また、スピーカ１９から音声出力がなされるか否かを試験することもできる。
【００３１】
（点検スイッチ）
点検スイッチ８は、点検手段による点検結果を音声出力させるための点検結果出力スイッチであり、火災警報器１００の筐体のユーザーが操作可能な位置に設けられている。点検スイッチ８としては、例えば押しボタン式のスイッチを用いることができる。点検スイッチ８は、少なくとも２種類の操作が可能であり、一方を通常操作、他方を特殊操作と称する。通常操作は、点検手段による点検結果を音声出力させるための操作であり、特殊操作は電源投入時からの使用経過時間を音声出力させるための操作である。押しボタン式のスイッチの場合は、例えば、通常操作を「短押し」、特殊操作を「長押し」などとスイッチの操作時間に基づいて設定することができ、あるいは、通常操作を「１回押し」、特殊操作を「連続２回押し」など所定時間内におけるスイッチの操作回数に基づいて設定することもできる。通常操作と特殊操作の操作方法は予め定めておく。そして、点検スイッチ８への通常操作／特殊操作に応じた信号が、マイコン１０に入力される。
【００３２】
このように構成された火災警報器１００は、監視領域である住居等の天井面に設置され、火災の監視を行う。次に、火災警報器１００の動作を説明する。図２は、火災警報器１００のメイン動作を示すフローチャートである。図３〜図７は、図２に示す処理を示すフローチャートである。
【００３３】
まず、図２を参照して火災警報器１００のメイン動作を説明する。
電池１が装填されて電源が投入されると（Ｓ１）、マイコン１０は記憶部１１内のすべてのフラグをクリアする（Ｓ２）。そして、タイマ部１２の使用経過時間計測タイマ１２ａをクリアする（Ｓ３）。
【００３４】
続けて、電源投入回数カウンタ１１ｅの値Ｎ（初期値はＮ＝０）をインクリメントし（Ｓ４）、インクリメントした値Ｎを電源投入回数カウンタ１１ｅに記憶する（Ｓ５）。そして、使用経過時間計測タイマ１２ａによるカウントを開始する（Ｓ６）。ここまでの処理が、電源投入時に行う初期処理である。
【００３５】
以降は、使用経過時間監視（Ｓ７）、火災監視（Ｓ８）、電池電圧低下監視（Ｓ９）、スイッチ入力判定（Ｓ１０）、監視結果出力（Ｓ１１）の一連の処理を繰り返し行う。この一連の処理の中で、火災が検出されれば（Ｓ８）、監視結果出力（Ｓ１１）で火災警報を行い、また、使用期限が満了すると（Ｓ７）、監視結果出力（Ｓ１１）で使用期限が満了したことを音声出力する。以下、各処理の詳細について説明する。
【００３６】
図３は、図２のステップＳ７に示す使用経過時間監視処理の動作を示すフローチャートである。
マイコン１０は、使用経過時間計測タイマ１２ａのカウントに基づいて、電源投入後からの使用経過時間を電源投入回数Ｎごとに、記憶部１１に記憶させる（Ｓ７１）。すなわち、前回電源投入したときとは別に使用経過時間を記憶するので、電池１を交換するなどして電源を複数回投入した場合にはそれぞれについて使用経過時間を記憶することとなる。
そして、使用経過時間が１０年以上経過していれば（Ｓ７２）、記憶部１１の使用期限満了フラグ１１ｂをセットして（Ｓ７３）処理を終了し、１０年以上経過していなければ（Ｓ７２）、使用期限満了フラグ１１ｂをクリアして（Ｓ７４）処理を終了する。
【００３７】
図４は、図２のステップＳ８に示す火災監視処理の動作を示すフローチャートである。
マイコン１０は、サーミスタ６と抵抗７との間の電圧値に基づき、火災が発生したか否かを判断する（Ｓ８１）。火災が発生していると判断した場合、マイコン１０が備えた記憶部１１の火災フラグ１１ａをセットし（Ｓ８２）、処理を終了する。火災が発生していないと判断した場合、火災フラグ１１ａをクリアし（Ｓ８３）、処理を終了する。
【００３８】
図５は、図２のステップＳ９に示す電池電圧低下監視処理の動作を示すフローチャートである。
マイコン１０は、スイッチ３をＯＮして電源監視回路２を駆動させ、電源監視回路２が検出した電池１の電圧値を取得し、所定の判別レベル以下であるか否か判断する（Ｓ９１）。電池１の電圧値が判別レベル以下であると判断した場合には、記憶部１１の点検異常フラグ１１ｃをセットし（Ｓ９２）、処理を終了する。電池１の電圧値が判別レベル以下ではないと判断した場合には、点検異常フラグ１１ｃをクリアして（Ｓ９３）、処理を終了する。
【００３９】
図６は、図２のステップＳ１０に示すスイッチ入力判定処理の動作を示すフローチャートである。
マイコン１０は、点検スイッチ８のスイッチ入力があるか否かを判断し（Ｓ１０１）、スイッチ入力がなければ処理を終了する。点検スイッチ８のスイッチ入力がある場合には、スイッチの特殊操作がなされているか否かを判断する（Ｓ１０２）。特殊操作がなされている場合には、記憶部１１の使用経過時間出力フラグ１１ｆをセットし（Ｓ１０３）、処理を終了する。特殊操作がなされておらず通常操作の場合には、記憶部１１の点検結果出力フラグ１１ｄをセットし（Ｓ１０４）、処理を終了する。
【００４０】
図７は、図２のステップＳ１１に示す監視結果出力処理の動作を示すフローチャートである。
マイコン１０は、火災フラグ１１ａがセットされているか否かを判断し（Ｓ１１１）、セットされている場合には火災が発生していることを示す火災音声を出力する（Ｓ１１２）。このとき、マイコン１０は、音声データメモリ１３に格納された火災音声のデータをデータ出力線２１から出力し、音声出力制御線２０ｃをＯＮする。このようにすることで、スピーカ１９から火災発生を知らせる音声が８０ｄＢで出力される。
【００４１】
火災フラグ１１ａがセットされていない場合には、使用期限満了フラグ１１ｂがセットされているか否かを判断し（Ｓ１１３）、セットされている場合には使用期限が満了していることを示す使用期限満了音声を出力する（Ｓ１１４）。このとき、マイコン１０は、音声データメモリ１３に格納された使用期限満了音声の音声データをデータ出力線２１から出力し、音声出力制御線２０ｃをＯＮする。このようにすることで、スピーカ１９から使用期限の満了を知らせる音声が８０ｄＢで出力される。
【００４２】
使用期限満了フラグ１１ｂがセットされていない場合には、点検結果出力フラグ１１ｄがセットされているか否かを判断し（Ｓ１１５）、セットされている場合には、点検異常フラグ１１ｃがセットされているか否か判断する（Ｓ１１６）。点検異常フラグ１１ｃがセットされている場合には、点検結果が異常であることを示す点検異常音声を出力する（Ｓ１１７）。このとき、マイコン１０は、音声データメモリ１３に格納された点検異常音声をデータ出力線２１から出力し、音声出力制御線２０ｃをＯＮする。このようにすることで、スピーカ１９から点検異常を知らせる音声が８０ｄＢで出力される。
続けて、点検結果出力フラグ１１ｄをクリアし（Ｓ１１８）、点検異常フラグ１１ｃをクリアして（Ｓ１１９）、処理を終了する。
【００４３】
点検異常フラグ１１ｃがセットされていない場合には、点検結果が正常であることを示す点検正常音声を出力する（Ｓ１２０）。このとき、マイコン１０は、音声データメモリ１３に格納された点検正常音声をデータ出力線２１から出力し、音声出力制御線２０ｃをＯＮする。このようにすることで、スピーカ１９から点検正常を知らせる音声が８０ｄＢで出力される。続けて、点検結果出力フラグ１１ｄをクリアし（Ｓ１２１）、処理を終了する。
【００４４】
点検結果出力フラグ１１ｄがセットされていない場合には、使用経過時間出力フラグ１１ｆがセットされているか否かを判断し（Ｓ１２２）、セットされている場合には、使用経過時間計測タイマ１２ａの値によって処理を分ける。
すなわち、使用経過時間が５年以上であって（Ｓ１２３）、かつ、８年以上である場合には（Ｓ１２４）、使用経過時間と使用可能時間を３回、音声出力する（Ｓ１２５）。使用可能時間とは、使用期限の最大時間（本実施の形態では１０年）から、使用経過時間計測タイマ１２ａが計測した時間を差し引いた時間である。このとき、マイコン１０は、音声データメモリ１３に格納された時間を示す音声データから、使用経過時間の音声と使用可能時間の音声を合成し、これをデータ出力線２１から３回出力するとともに、音声出力制御線２０ｃをＯＮする。このようにすることで、スピーカ１９から使用経過時間と使用可能時間を知らせる音声が８０ｄＢで３回出力される。
また、使用経過時間が５年以上であって（Ｓ１２３）、８年未満である場合には（Ｓ１２４）、使用経過時間と使用可能時間を２回、音声出力する（Ｓ１２７）。このとき、マイコン１０は、使用経過時間の音声と使用可能時間の音声データをデータ出力線２１から２回出力するとともに、音声出力制御線２０ｂをＯＮする。このようにすることで、スピーカ１９から使用経過時間と使用可能時間を知らせる音声が７０ｄＢで２回出力される。
また、使用経過時間が５年未満の場合には（Ｓ１２３）、使用経過時間と使用可能時間を１回、音声出力する（Ｓ１２８）。このとき、マイコン１０は、使用経過時間の音声と使用可能時間の音声データをデータ出力線２１から１回出力するとともに、音声出力制御線２０ａをＯＮする。このようにすることで、スピーカ１９から使用経過時間と使用可能時間を知らせる音声が６０ｄＢで１回出力される。
【００４５】
使用経過時間と使用可能時間を音声出力した（Ｓ１２５、Ｓ１２７、Ｓ１２８）後は、使用経過時間出力フラグ１１ｆをクリアして（Ｓ１２６）処理を終了する。
【００４６】
また、使用経過時間出力フラグ１１ｆがセットされていない場合には、そのまま処理を終了する。この場合、スピーカ１９からは何の音声も出力されない。
【００４７】
図７で示したように、火災音声出力（Ｓ１１２）、使用期限満了音声出力（Ｓ１１４）、点検異常音声出力（Ｓ１１７）、点検正常音声出力（Ｓ１２０）については、重要度が高くユーザーにより明確に音声を伝える必要があるので、８０ｄＢで音声出力している。
また、ステップＳ１２５、Ｓ１２７、Ｓ１２８で示したように、使用経過時間に応じて、使用経過時間と使用可能時間を音声出力する際の音圧レベルと回数を切り換えている。例えば、使用経過時間が８年以上の場合には火災音声出力と同じ８０ｄＢで音声を３回出力するようにしている。このようにしていることで、使用期限が近づいていることをユーザーに把握させやすい。また、使用経過時間が５年未満の場合には６０ｄＢで１回出力するようにしており、ユーザーに使用経過時間と使用可能時間を知らせつつも、音声出力に要する消費電流を抑制している。なお、本実施の形態で示した音声出力の際の音圧レベル及び音声出力回数は一例である。
【００４８】
以上のように本実施の形態に係る火災警報器１００によれば、ユーザーが点検スイッチ８を操作したときに使用経過時間に関する情報（使用経過時間と使用可能時間）を音声出力する。このため、ユーザーは、自身が要求したタイミングで使用経過時間に関する情報を把握することができる。
【００４９】
また、使用経過時間に関する情報を音声出力させるためのスイッチを、点検スイッチ８と共用したので、部品点数を削減して火災警報器１００を簡易に構成することができ、製造コストを低減できるとともに、火災警報器１００が大型化するのを防ぐことができる。また、点検スイッチ８の操作方法に応じて、点検結果または使用経過時間に関する情報のいずれかを区別して音声出力するので、ユーザーが要求した情報以外は音声出力しない。このため、無駄な音声出力を回避でき、消費電流を低減できる。
【００５０】
また、使用経過時間に関する情報を音声出力する場合には、使用経過時間に応じて、出力する音声の音圧レベルと回数を切り換えるようにした。このため、使用期限が迫っている場合にはユーザーにその旨を把握させやすく、ユーザーは火災警報器の交換を予め準備するなどの適切な対応をとりやすい。また、使用期限まで時間的余裕がある場合には、ユーザーに使用経過時間に関する情報を知らせつつも、音声出力に要する消費電流を抑制することができる。
【００５１】
また、火災警報器１００は、電源投入回数Ｎごとに使用経過時間を記憶するようにした。このため、電池交換を行った場合には、前回の電池装填時とは区別して使用経過時間をカウントでき、ユーザーは次回の電池交換のタイミング（使用期限）を把握することができる。また、市場からの返却品が発生した場合にはその返却品の電源投入回数Ｎごとの使用経過時間に関する情報を入手でき、火災警報器１００の状態の解析に活用することができる。
【００５２】
なお、本実施の形態では、点検スイッチ８が通常操作された場合と特殊操作された場合とで出力音声の内容が異なるが、通常操作と特殊操作の区別なく点検スイッチ８が操作されると点検結果と使用経過時間に関する情報の両方を出力するようにしてもよい。このようにすることで、ユーザーは点検スイッチ８の特殊操作と通常操作を使い分ける必要がなく、ユーザーの負担を軽減できる。
【００５３】
また、本実施の形態では、点検スイッチ８が通常操作されたときにおいて、点検結果が正常の場合には点検正常音声を出力するようにしたが、正常音声を出力する代わりに使用経過時間に関する情報を音声出力するようにしてもよい。一般に点検結果が正常である場合には火災警報音と同じ音を鳴動させる火災警報器があるが、このような火災警報器の場合、ユーザーは誤って火災が発生していると判断したり故障が生じていると判断するおそれがある。しかし、点検結果が正常の場合には使用経過時間に関する情報を音声出力することで、ユーザーの誤認を防ぐことができる。また、ユーザーは点検スイッチ８の特殊操作と通常操作を使い分ける必要がない。
【００５４】
なお、上記説明では、異常検出部として火災検出部を例に説明したが、ガス漏れなどその他の監視領域の異常を検出するものであってもよい。また、火災検出部として、サーミスタ６による熱検出を例に説明したが、煙検出部などその他の火災検出部を用いてもよい。
【符号の説明】
【００５５】
１  電池、２  電源監視回路、３  スイッチ、４  定電圧回路、５  火災検出部、６  サーミスタ、７  抵抗、８  点検スイッチ、１０  マイコン、１１  記憶部、１１ａ  火災フラグ、１１ｂ  使用期限満了フラグ、１１ｃ  点検異常フラグ、１１ｄ  点検結果出力フラグ、１１ｅ  電源投入回数カウンタ、１１ｆ  使用経過時間出力フラグ、１２  タイマ部、１２ａ  使用経過時間計測タイマ、１３  音声データメモリ、１４  音声出力制御回路、１５  回路ブロック、１５ａ  トランジスタ、１５ｂ  抵抗、１５ｄ  抵抗、１６  回路ブロック、１６ａ  トランジスタ、１６ｂ  抵抗、１６ｄ  抵抗、１７  回路ブロック、１７ａ  トランジスタ、１７ｂ  抵抗、１７ｄ  抵抗、１８  増幅器、１９  スピーカ、２０ａ  音声出力制御線、２０ｂ  音声出力制御線、２０ｃ  音声出力制御線、２１  データ出力線、１００  火災警報器。
【図１】
2010224844.tif 000003
【図２】
2010224844.tif 000004
【図３】
2010224844.tif 000005
【図４】
2010224844.tif 000006
【図５】
2010224844.tif 000007
【図６】
2010224844.tif 000008
【図７】
2010224844.tif 000009